(57)【要約】【課題】軽量で、着用時に一定の締め付ける応力があり、かつ、高伸長のストレッチ織物を提供する。【解決手段】芯糸にスパンデックス繊維、鞘糸に合成繊維を用いた被覆糸をタテ糸およびヨコ糸に用いた織物において、タテおよびヨコ方向の少なくともいずれかのスパンデックス繊維が５５デシテックス以上、１５６デシテックス以下であり、タテおよびヨコ方向の少なくともいずれかの伸長率が４０％以上であり、タテおよびヨコ方向の少なくともいずれかの３０％伸長時の応力が６Ｎ以上、１５Ｎ以下であることを特徴とするストレッチ織物。【選択図】なし【特許請求の範囲】
【請求項１】
芯糸にスパンデックス繊維、鞘糸に合成繊維を用いた被覆糸をタテ糸およびヨコ糸に用いた織物において、タテおよびヨコ方向の少なくともいずれかのスパンデックス繊維が５５デシテックス以上、１５６デシテックス以下であり、タテおよびヨコ方向の少なくともいずれかの伸長率が４０％以上であり、タテおよびヨコ方向の少なくともいずれかの３０％伸長時の応力が６Ｎ以上、１５Ｎ以下であることを特徴とするストレッチ織物。
【請求項２】
該合成繊維がポリアミド系繊維もしくはポリエステル系繊維であることを特徴とする請求項１に記載のストレッチ織物。
【請求項３】
該被覆糸の撚係数が６５００から１２０００であることを特徴とする請求項１または２に記載のストレッチ織物。
【請求項４】
該織物の目付が２５０ｇ／ｍ２以下である請求項１から３のいずれかに記載のストレッチ織物。
【請求項５】
該織物に表面平滑化および／または撥水加工が施されていることを特徴とする請求項１から４のいずれかに記載のストレッチ織物。
【請求項６】
請求項１から５のいずれかに記載の織物を少なくともその一部に用いたことを特徴とする水着。
【請求項７】
請求項１から６のいずれかに記載の織物を少なくともその一部に用いたことを特徴とする衣料。
【発明の詳細な説明】
【技術分野】
【０００１】
本発明は、軽量で、着用時に一定の締め付ける応力があり、かつ、高伸長のストレッチ織物に関する。
【背景技術】
【０００２】
近年動きやすさの要求によりストレッチのある織物が、スポーツ用途だけでなく一般用途のジャケットやスラックス、スカート、シャツなどに多様されている。しかし、肌着や肌に密着したスポーツウエアにおいては、高いストレッチ性が要求されるため、伸び易い編物が多く使用され、織物は少ないのが現状である。
１００分の１秒の速さを競う競泳用水着においては、身体全体を激しく動かすことから、身体に十分フィットし、身体の動きを妨げず、その動きに追従する高いストレッチ性と回復性が要求される。また、水中での抵抗を小さくするために着用感よりも身体の体積を小さくするために、着用時高い締め付け力の応力が要求される。従来、水着はフィット性、およびストレッチ性と回復性を得るために、スパンデックスと呼ばれるポリウレタン系弾性繊維をナイロン繊維やポリエステル繊維と組み合わせた丸編地もしくは経編地が一般的に使用されてきた。しかしながら、それら編地は、ストレッチ性は優れるものの、嵩高で重く、また着用時の応力が低く締め付け力に劣っているのが問題であった。
また、織物ではスパンデックスを用いた２ｗａｙストレッチ織物が多数提案されているが、編物と比較しストレッチ性に劣り肌に密着した肌着や水着などのスポーツウエアの運動追従性を満足するものではなかった。
最近のストレッチ性のあるスポーツウエアやスポーツインナー、水着およびサポート機能を持った衣料は、運動追従性だけでなく身体の特定部分の締め付け力を高めたコンプレッション機能が要求され、ストレッチ性の異なる素材を組み合わせることにより、人体の特定部分の締め付けを強くして、運動機能を高めたり、姿勢を維持しやすくしたり、また、特定部分のみ締め付け力を弱くして、より動きやすくするウエアが提案させている。それらはいずれも編物の提案であり、より高い締め付けに必要な応力を満たさないものであった。
例えば特許文献１では比較的薄地のストレッチ織物が提案されているが、伸長率がタテ方向でも４０％以下であり運動追随性の必要な水着などの用途には適さないものである。また特許文献２のインナー用織物は、ヨコ方向の伸長率が９８％と高いが肌に密着しないトランクス用織物のため、着用時の応力の記載はないが低いものと推定される。特許文献３、４、５においてはスパンデックスを用いたストレッチ編物と一部織物が提案されているが、織物の伸長率等の記載が無く、編物では着用時の応力が低いため、前記特許文献同様着用時高い締め付け力の要求されるストレッチ織物には不適なものである。特許文献６においては、２素材の異なる弾性率が限定されているが、織物や編物の伸長率などの記載がない。
【先行技術文献】
【特許文献】
【０００３】
【特許文献１】特許第2820464号
【特許文献２】特開2005-120515
【特許文献３】特開2008-7863
【特許文献４】特開2007-314931
【特許文献５】特開2009-263841
【特許文献６】ＷＯ2009/050769
【発明の概要】
【発明が解決しようとする課題】
【０００４】
本発明は、かかる従来技術の背景に鑑み、軽量で、着用時に一定の締め付ける応力があり、かつ、高伸長のストレッチ織物を提供せんとするものである。
【課題を解決するための手段】
【０００５】
本発明は鋭意検討の結果、下記構成により達成できる事を見出した。
(1) 芯糸にスパンデックス繊維、鞘糸に合成繊維を用いた被覆糸をタテ糸およびヨコ糸に用いた織物において、タテおよびヨコ方向の少なくともいずれかのスパンデックス繊維が５５デシテックス以上、１５６デシテックス以下であり、タテおよびヨコ方向の少なくともいずれかの伸長率が４０％以上であり、タテおよびヨコ方向の少なくともいずれかの３０％伸長時の応力が６Ｎ以上、１５Ｎ以下であることを特徴とするストレッチ織物。
(2) 該合成繊維がポリアミド系繊維もしくはポリエステル系繊維であることを特徴とする上記(1)に記載のストレッチ織物。
(3) 該被覆糸の撚係数が６５００から１２０００であることを特徴とする上記(1)または(2)に記載のストレッチ織物。
(4) 該織物の目付が２５０ｇ／ｍ２以下である上記(1)から(3)のいずれかに記載のストレッチ織物。
(5) 該織物に表面平滑化および／または撥水加工が施されていることを特徴とする上記(1)から(4)のいずれかに記載のストレッチ織物。
(6) 上記(1)から(5)のいずれかに記載の織物を少なくともその一部に用いたことを特徴とする水着。
(7) 上記(1)から(6)のいずれかに記載の織物を少なくともその一部に用いたことを特徴とする衣料。
【発明の効果】
【０００６】
本発明に係る軽量で、着用時に一定の締め付ける応力があり、かつ、高伸長のストレッチ織物を使用することにより、水中で抵抗の少ない水着やコンプレッション機能を持つ運動効果を高めたスポーツウエア、スポーツアンダーウエアやサポート機能を持つ衣料を提供することができる。
【発明を実施するための形態】
【０００７】
以下、本発明を詳細に説明する。
【０００８】
本発明において、織物に使用する糸は、芯糸にスパンデックス繊維、鞘糸に合成繊維を用いた被覆糸であることが重要である。スパンデックスと合成繊維による被覆糸は、伸長率と伸長回復性に優れ、密着した肌着や水着、スポーツウエアに必要な強度も合わせ持っている。芯にスパンデックス、鞘に合成繊維を用いた被覆糸は、特に限定されるものではなく、カバーリング機を用いて得られるカバーリング糸であっても良いし、引きそろえ後、合撚した糸であっても良い。また、スパンデックス繊維と合成繊維をエアー加工機にて、タスランノズルや交絡ノズルを用いて、混繊交絡した複合繊維であっても良い。カバーリング糸の方が芯のスパンデックス糸の被覆性がよく好ましい。カバーリングの方式は芯糸に一方向の糸をカバーリングするシングルカバーリングと芯糸に、右方向と左方向の糸がカバーされるダブルカバーリングが公知の方法として知られているが、本発明では目付を低減する場合は、シングルカバーリングが好ましい。またカバーリングの際、スパンデックス繊維に適度なドラフトを掛けて行われるが、高いストレッチ織物とするためにはそのドラフト率は３倍以上、より好ましくは３．５倍以上、４倍以下にすることが好ましい。    ドラフト率が３倍未満では高ストレッチ織物にすることが難しく、逆に４倍を越えると被覆糸作製時にスパンデックス繊維の糸切れ等が発生し工程通過性が悪化する傾向にある。
タテ、ヨコともにスパンデックス繊維を用いた２ｗａｙストレッチ織物において、特に、肌に密着しかつ激しい運動を伴う水着やスポーツウエア等に対応する場合には、スナッグが問題となりやすい。その場合、被覆糸作製時の撚係数を高く設定しておくことが好ましい。具体的には６５００から１２０００が好ましく、スナッグレベルを最良とするためにはさらに７５００から１１０００に設定することが望ましい。
【０００９】
なお撚係数は次式で算出される。
撚係数Ｋ＝（ＳＳ÷Ｄ＋ＳＣ）1/2×Ｒ 
ＳＳ：スパンデックス繊維の繊度（デシテックス）
ＳＣ：鞘糸の繊度（デシテックス）
Ｄ  ：スパンデックス繊維のドラフト率（倍）
Ｒ  ：カバーリング数（Ｔ／Ｍ）
芯糸のスパンデックス繊維は、タテ、ヨコいずれかが５５デシテックス以上であることが好ましい。運動追随性だけを求めるのであれば、少しの力で良く伸び回復性に優れていればよいので、軽量化の点でもスパンデックス繊維は４４デシテックス以下であることが好ましいが、着用時の締め付け力により着圧（コンプレッション）が必要な水着やスポーツウエア、スポーツインナーやサポート機能を持つウエアにおいては、５５デシテックス以上、１５６デシテックス以下であることが好ましい。１５６デシテックスを超えると目付を低くすることができない。目付としては軽量化の点で、２５０ｇ／ｍ２以下とすることが好ましい。また使用するスパンデックス繊維は公知のものでよく、例えば旭化成繊維株式会社の“ロイカ”や東レ・オペロンテックス株式会社の“ライクラ”等を使用すればよい。ただし水着の場合は、プールでの使用が前提となるため、好ましくは“ロイカＳＰ”や“ライクラ−１７６Ｂ”、“ライクラ−２５４Ｂ”等耐塩素性に優れたスパンデックス繊維を用いることが好ましい。
鞘糸には周知の合成繊維を用いればよい。合成繊維には各種あるが、ポリアミド系繊維や、ポリエステル系繊維を用いることが、強度や加工性の面から好ましい。ポリアミド系繊維にも各種あるが、強度の面およびスパンデックス混織物の加工性の面からナイロン６およびナイロン６６を用いることが好ましい。
またポリエステル系繊維にはポリエチレンテレフタレート、ポリブチレンテレフタレート、ポリトリメチレンテレフタレート等いずれを使用しても良いが、良好な熱セット性を求めるのであればポリエチレンテレフタレート、高伸度を求めるのであればポリブチレンテレフタレート、ポリトリメチレンテレフタレートを選択する等適宜選択することが出来る。ただし、これら繊維は一般に分散染料を用いて染められるが、分散染料はポリウレタン繊維に汚染してしまうため、最終製品に置いて色移り等堅牢度不良を発生させることがある。そのためカチオン染料で染色することの出来るカチオン可染ポリエステル系繊維を用いることが好ましい。
さらに、水着用途では、ポリプロピレン繊維を用いることも好ましい。ポリプロピレン繊維は、疎水性のため、布帛での撥水性能が向上する。ただし、染まりにくいという欠点があるため、原着糸を用いることが、より好ましい。
鞘糸の合成繊維の繊度は、１７デシテックスから１６５デシテックス以下であることが軽量化を図る上で、特に目付２５０ｇ／ｍ２以下とすることができ好ましい。  
鞘糸に用いる合成繊維の繊維形態および断面形状には特に制限は無いが、高いストレッチ織物とするためには鞘糸となる合成繊維に周知の手法により仮撚加工を施し、捲縮を付与しておくことが好ましい。一般にスパンデックス混織物は、芯糸となるスパンデックスの伸度不足ではなく、鞘糸の糸長が不足するためにストレッチ性に制限が出ることが多く、鞘糸に捲縮を与えることで、捲縮を有しない生糸使い品よりもストレッチ率を高くすることが出来る。
仮撚加工の方法にはピンタイプ、フリクションタイプ、ベルトタイプ等種々存在するが、本発明においてはその方法に特に限定はない。ただし総繊度が細い合成繊維を用いる場合は、ピンタイプを用いることが好ましく、フリクションを用いる場合はディスク枚数を増やす等総繊度の細い合成繊維に対応した仮撚を施すことが好ましい。
これら手法により得られた芯スパンデックス、鞘合成繊維による被覆糸を用いた織物は、タテ、ヨコそれぞれの少なくとも一方の伸長率が４０％以上となるよう織物設計、染色加工を行う必要がある。
タテ方向の伸長率を４０％以上にするためには、織機ヨコ入れ密度に対する仕上ヨコ密度を調整することにより、タテ収縮率を６０％以上にすることが好ましい。ヨコ方向の伸長率を４０％以上にするためには、筬入幅に対する仕上幅を調整することにより、ヨコ収縮率を６５％以上とすることが好ましい。タテ収縮率、ヨコ収縮率を高くするためには、生機密度を通常設計よりも低くしなければならないが、生機密度を低くし過ぎると、続く染色加工にて、目ズレやシワ等の問題が発生し易くなるため、前述の収縮率を達成し、かつ問題が発生しない範囲に、生機密度を設定することが好ましい。タテの伸長率を４０％以上にするためには、通常の設計よりも織機のヨコ入れ本数を少なくし、仕上がりのヨコ密度を通常の設計よりも多くするとタテ収縮率が高くなり、タテの伸長率を４０％以上にすることができる。そのときタテ糸に使用するスパンデックスが４４デシテックス以下の場合３０％伸長時のタテ方向の応力が６Ｎ以下になることがあるが、６Ｎ以上にするためには、５５デシテックス以上のスパンデックスを使用することが好ましい。ヨコの伸長率を４０％以上にするために、通常の設計よりも織機上のタテ糸本数を少なくし、仕上がり幅を通常の設計よりも小さくし、タテ密度を多くするとヨコの収縮率が高くなり４０％以上にすることができる。その時３０％伸長時のヨコ方向の応力を６Ｎ以上にするために、同じく５５デシテックス以上のスパンデックスをヨコ糸に使用することが好ましい。製織にはポリウレタン繊維をヨコ糸として使用するため、ヨコ入れピーク張力の高いウォータージェットルーム（ＷＪＬ）は好ましくなく、エアージェットルーム（ＡＪＬ）もしくはレピアルームを使用することが好ましい。タテ収縮率、ヨコ収縮率の定義は以下のとおりである。
【００１０】
タテ収縮率（％）＝（仕上ヨコ密度−織機ヨコ入れ本数）÷織機ヨコ入れ本数×１００
ヨコ収縮率（％）＝（筬入幅−仕上幅）÷仕上幅×１００
染色仕上においては既存の２ＷＡＹ織物もしくは編物を加工する公知のプロセスを利用することが出来る。具体的プロセスは拡布精練／リラックス、中間セット、染色、仕上げセットや生機セット、液流精練／リラックス、染色、仕上げセット等目的とする織物のストレッチ率や表面品位の状態により適宜選択すればよい。
【００１１】
さらに競泳水着用途には、仕上げ加工においては撥水加工を生地に施すことが好ましい。水着の生地への保水率が高いと着用時の負荷が高くなり、撥水加工を施すことでその負荷を軽減することが出来る。撥水加工はストレッチ織物全面に施しても良いが、水抜け性を加味し、特開平09-049107、特開2000-226709、特開2003-328212等に記載のように部分的に撥水加工を施しても良い。
また水に対する生地の表面抵抗を下げ、かつ保水率を下げるためにはストレッチ織物にカレンダー加工のような表面を平滑化処理することが好ましい。加工機としては通常の加熱ロールとペーパーロール、またはコットンロールよりなるカレンダー加工機、板状物を用いたカレンダー加工機を用いればよい。なお加熱金属ロールを用いる場合は鏡面ロールであることが好ましい。またその他手法として生地を縫製品にするため裁断後に熱プレスを行う事でも平滑化する事が出来る。なお、競泳水着用の織物として用いる場合、特開2003-328212等に記載されている様にカレンダー加工条件は、織物の幅１００〜２２０ｃｍに対して、線圧で１〜６０ｔ程度とし、ロール温度は１６０〜２５０℃の範囲から、ナイロン６織物、ナイロン６６織物、ポリエステル織物など素材により適宜選択することが好ましい。
【００１２】
これら構成で得られたストレッチ織物はタテ、ヨコ少なくともいずれかの伸長率が４０％以上であることが好ましく、さらに、タテ、ヨコ両方向の伸長率が４０％以上であることがより好ましい。
繊維機械学会誌３６巻６号（１９８３）「皮膚伸びと衣服伸び」原田隆司他著によると動作による皮膚の伸びは女性の場合、後肘部（肘頭部）にて垂直方向で６２％、腋窩部にて垂直方向６６％であり、皮膚に密着する水着を一種類の素材で運動追随性を求める場合は、皮膚伸びと同等の伸長率を少なくともタテヨコいずれか一方向は保有することが好ましい。また、競泳水着は人体より約３０％から４０％近く小さいパターンで作製されることから、皮膚伸び＋３０％の伸長率がより好ましい。二種類以上の素材で作製される場合、皮膚伸びが必要な部分に、伸びの大きいストレッチ織物を使用し、皮膚伸びが小さい部分に伸びの小さいストレッチ織物を使用することが好ましい。皮膚伸びが小さい部分であっても着脱を考慮するとタテヨコいずれかの伸長率が４０％以上あることが好ましい。なおここで伸長率はＪＩＳ  Ｌ１０９６Ａ法（カットストリップ法）にて測定された値を示す。
【００１３】
また人体にゆとりなく着用される水着、スポーツウエア、スポーツアンダーウエアは人体よりも小さく作製されており、競泳水着の場合３０〜４０％小さいパターンで作製されている。その３０％伸長する時の応力が締め付ける力になり、着圧として働く。締め付けが必要な人体の部分の着圧が大きいほど人体の筋肉を押さえつけ体積が小さくなり、水中での抵抗が小さくなる。その応力が６Ｎ未満であると締め付ける力がこれまでの編物や織物と同じで十分でなく、６Ｎ以上が好ましく、８Ｎ以上がより好ましい。また１５Ｎ以上であっても締め付ける力は大きくなるが、人体の体積の変化は小さい。３０％伸長時の応力を６〜１５Ｎにするためには、スパンデックス繊維の繊度を５５デシテックス以上１５６デシテックス以下にすることが好ましいが、その他合成繊維の繊度、フィラメント数、ドラフト数、撚り係数、生機の密度や仕上げの密度の組み合わせにより適宜選択することにより、３０％伸長時の応力を６〜１５Ｎにすることができる。タテ、ヨコ方向により異なる伸長率や締め付け力が必要な場合、タテ糸とヨコ糸に使用するスパンデックスの繊度や合成繊維の繊度、フィラメント数、ドラフト数、撚り係数、生機の密度や仕上密度などの組み合わせを適宜選択することにより可能である。
また、運動により伸長されたウエアの追随性が必要で、伸ばされた後に身体の動きに沿って瞬時に回復することが必要である。従って本発明のストレッチ織物はタテ、ヨコ方向それぞれの伸長回復率が８０％以上であることが好ましい。特に競泳水着等肌に密着し、かつ激しい動きを有する競技に使用される場合、伸長回復率は８５％以上あることがより好ましい。
本発明のストレッチ織物は、人体に密着した衣料や、コンプレッションを必要とする衣料として好ましく用いられ、具体的には水着、スケートウエア、スキーウエア、ジャンプスーツ、レオタード、サッカーウエア、野球ユニフォーム、登山用ウエアなどの各種スポーツウエアや、スポーツインナー、サポート機能を持つ衣料等を好ましい用途として例示することができる。
また、本発明のストレッチ織物を水着等において締め付け力の必要な人体の部分にのみ適宜選択して使用することも好ましい。締め付け力の必要な部分に使用することにより、その部分の着圧が高くなり、静脈の血流を促し血液循環機能を高める効果が得られる。また、着圧を高めることにより水中姿勢を一定に保つことができ水中での抵抗を小さくし、疲労軽減がはかれる。また、締め付け力の必要な部分に使用することにより、運動効果が高まり疲労軽減がはかれる。具体的には、衣料の下肢のふくらはぎの周方向部分に当たるところに締め付け力の強いストレッチ織物を使用すると部分的に締め付けることが可能になり効果的に静脈の血流を促し血液循環機能を促進することができる。また、競泳水着の場合、太ももなど筋肉の部分に使用すると強い締め付け力により人体の体積を小さくし、筋肉の振動を防止することができ水中の抵抗を軽減することが可能になる。            
【実施例】
【００１４】
以下、実施例により本発明を詳細に説明するが、本発明はこれらに限定されるものではない。
【００１５】
実施例中の評価は次の方法で実施した。
〔伸長率〕
ＪＩＳ  Ｌ１０９６  Ａ法  カットストリップ法に準じて測定した。
試験片の幅５ｃｍ、つかみ間隔２０ｃｍ。
初荷重は試験片の幅で１ｍの長さにかかる重力に相当する荷重とした。
引張速度２０ｃｍ／ｍｉｎ。
１７．７Ｎ（１．８ｋｇ）荷重時の伸長率（％）を測定した。
タテ、ヨコ各３回の平均を算出した。
〔３０％伸長時の応力〕
伸長率測定時の、３０％伸長時の応力（Ｎ）を求めた。
タテ、ヨコ各３回の平均を算出した。
〔伸長回復率〕
ＪＩＳ  Ｌ１０９６  Ａ法に準じて測定した。
試験片の幅５ｃｍ、つかみ間隔２０ｃｍ。
引張速度２０ｃｍ／ｍｉｎ。
１７．７Ｎ（１．８ｋｇ）までの伸長を５回繰り返し、下記式で伸長回復率を算出した。
タテ、ヨコ各３回の平均を求めた。
伸長回復率＝｛（Ｌ１０−Ｌ‘１０）／Ｌ１０｝×１００
Ｌ１０＝１７．７Ｎ荷重時の伸び（ｃｍ）
Ｌ‘１０＝５回繰り返し荷重した後の残留のび（ｃｍ）
［実施例１］
芯糸として東レ・オペロンテックス株式会社の耐塩素ライクラ“ライクラ−２５４Ｂ”５５Ｔを用い、鞘糸として２４デシテックス７フィラメントのナイロン６６仮撚加工糸、芯糸のドラフト率３．５倍にて撚り数１４００Ｔ／Ｍ、撚係数８８２３のシングルカバーリング糸を作製した。このカバーリング糸をタテ・ヨコ糸に用いレピア織機で筬密度９０羽／鯨寸（３．７８８ｃｍ）、筬入れ２本入れ、ヨコ密度１０５本／２．５４ｃｍにて製織を行い生機を得た。同生機を開布の状態でリラックス精練後、中間セット、液流染色機で酸性染料にて染色を行った後、過剰な張力をかけず有り幅にて仕上げセットを行った。得られた織物は目付が１１５ｍ２、伸長率が４０％以上あり、３０％伸長時の応力が５Ｎ以上、１５Ｎ以下であった。伸長率などを表１に示した。
［実施例２］
芯糸として東レ・オペロンテックス株式会社の耐塩素ライクラ“ライクラ−１７６Ｂ”７８Ｔを用い、鞘糸として８４デシテックス４８フィラメントのカチオン可染ポリエステル仮撚加工糸を用い、芯糸のドラフト率３．４倍にて撚り数８００Ｔ／Ｍ、撚係数８２７３のシングルカバーリング糸を作製した。このカバーリング糸をタテ・ヨコ糸に用いレピア織機を用いて筬密度６５羽／鯨寸（３．７８８ｃｍ）、筬入れ２本入れ、ヨコ密度７０本／２．５４ｃｍにて製織を行い生機を得た。同生機を開布の状態でリラックス精練後、中間セット、液流染色機でカチオン可染染料にて染色を行った後、過剰な張力をかけず有り幅にて仕上げセットを行った。得られた織物は目付が２００ｇ／ｍ２、伸長率が４０％以上あり、３０％伸長時の応力が５Ｎ以上、１５Ｎ以下であった。伸長率などを表１に示した。
［比較例１］
芯糸として東レ・オペロンテックス株式会社の耐塩素ライクラ“ライクラ−２５４Ｂ”３３Ｔを用い、鞘糸は実施例１と同じ２４デシテックス７フィラメントのナイロン６６仮撚加工糸、芯糸のドラフト率３．５倍にて撚り数１４００Ｔ／Ｍ，撚係数８０９４のシングルカバーリング糸を作製した。このカバーリング糸をタテ・ヨコ糸に用いレピア織機で筬密度９０羽／鯨寸（３．７８８ｃｍ）、筬入れ２本入れ、ヨコ密度１００本／２．５４ｃｍにて製織を行い生機を得た。同生機を実施例１と同じ方法で染色加工後、有り幅にて仕上げセットを行った。
得られた織物は目付が１０２ｇ／ｍ２、伸長率は４０％以上あるが、３０％伸長時の応力が５．４Ｎであった。伸長率などを表１に示した。
［比較例２］
実施例２と同じ芯鞘構造のシングルカバーリング糸を作製し、ヨコ密度を７５本／２．５４ｃｍに変更した以外は実施例２と同じ条件で生機を得た。実施例２と同じ条件で染色加工を行った。得られた織物は目付が１９４ｇ／ｍ２であるが、タテ伸長率が２６．８％、ヨコ伸長率が３８．９％であった。伸長率などを表１に示した。
【００１６】
【表１】
2011256483.tif 000002
【産業上の利用可能性】
【００１７】
本発明に係るストレッチ織物は、軽量で、着用時に一定の締め付け力があり、かつ高いストレッチ性があるので、着圧を加えて人体の特定の部分を締め付け、運動能力を効果的に高め、かつ運動追随性に優れているので人体に密着して着用される水着などの運動衣料に使用される。